(57)【特許請求の範囲】
【請求項１】
ロールペーパーホルダーの左右何れか一方の側部に一体化するか、一体化可能とするかの何れか一方とした固着部の前下方に関節部を介し、主アーム基端を、同主アーム先端が前下方に向け展開・折畳み自在となるよう連結すると共に、該固着部の関節部近傍に展開被固定部、同固着部の適所に収納被固定部を配し、当該主アームの関節部近傍に展開固定部、同主アームの適所に収納固定部を配して折畳み機構を設け、展開姿勢とした場合の同主アームのロールペーパーホルダー操出し範囲に相当する中途適所に対し、対象ロールペーパーの幅寸法の１／３ないし１．５／１の巻き幅に設定した巻取り枠部を有する巻取り輪を、対象ロールペーパーに適宜間隔を隔てて平行対峙する軸心回りに回転自在とするよう軸着してなるものとしたことを特徴とするロールペーパー巻取り装置。
【請求項２】
ロールペーパーホルダーの左右何れか一方の側部に一体化するか、一体化可能とするかの何れか一方とした固着部の前下方に関節部を介し、主アーム基端を、同主アーム先端が前下方に向け展開・折畳み自在となるよう連結すると共に、該固着部の関節部近傍に展開被固定部、同固着部の適所に収納被固定部を配し、該主アームの関節部近傍に展開固定部、同主アームの適所に収納固定部を配して折畳み機構を設け、展開姿勢とした場合の同主アームのロールペーパーホルダー操出し範囲に相当する中途適所に対し、対象ロールペーパーの幅寸法の１／３ないし１．５／１の巻き幅に設定した巻取り枠部を有する巻取り輪を、対象ロールペーパーに適宜間隔を隔てて平行対峙する軸心回りに回転自在とするよう軸着し、利用に際し、折畳み機構を該主アームが固着部の前下方に延伸するよう展開し、ロールペーパーホルダー装着対象ロールペーパーに対峙させた巻取り輪巻取り枠部に対象ロールペーパー操出し先端がわを巻き取り、該巻取り輪より対象ロールペーパー操出し先端巻き取り部分を抜き取って裁断するようにし、利用後に折畳み機構を当該固着部に主アームが重ねるよう折り畳み収納可能なものとしたロールペーパー巻取り装置。
【請求項３】
ロールペーパーホルダーの左右何れか一方の側部に一体化するか、一体化可能とするかの何れか一方とした固着部の前下方に関節部を介し、主アーム基端を、同主アーム先端が前下方に向け展開・折畳み自在となるよう連結すると共に、該固着部の関節部近傍に展開被固定部、同固着部の適所に収納被固定部を配し、該主アームの関節部近傍に展開固定部、同主アームの適所に収納固定部を配して折畳み機構を設け、展開姿勢とした場合の同主アームのロールペーパーホルダー操出し範囲に相当する中途適所に対し、対象ロールペーパーの幅寸法の１／３ないし１．５／１の巻き幅に設定した巻取り枠部を有する巻取り輪を、対象ロールペーパーに適宜間隔を隔てて平行対峙する軸心回りに回転自在とするよう軸着し、該主アームの先端がわに開閉機構を介し、主アーム折畳み姿勢の場合に、巻取り輪巻取り枠部の少なくとも先端を隠蔽状とし、主アーム展開姿勢の場合に、巻取り輪巻取り枠部を開放状とする保護カバー部を設けてなるものとしたロールペーパー巻取り装置。
【請求項４】
折畳み機構が、展開被固定部を磁石および磁性体何れか一方からなる展開被磁着部、展開固定部を磁石および磁性体何れか他方からなる展開磁着部、収納被固定部を磁石および磁性体何れか一方からなる収納被磁着部、収納固定部を磁石および磁性体何れか他方からなる収納磁着部としてなる、請求項１ないし３何れか一記載のロールペーパー巻取り装置。
【請求項５】
巻取り輪が、巻取り枠部の基端に回転操作用の摩擦面および凹凸部の少なくとも何れか一方を設けた回転操作板を有するものとした、請求項１ないし４何れか一記載のロールペーパー巻取り装置。
【請求項６】
保護カバー部が、主アーム先端がわに迂回枠および開閉機構であるヒンジ部を介して連結し、該主アーム展開姿勢の場合に、自重により巻取り枠部を自動開放し、主アーム折畳み姿勢の場合に自重により巻取り枠部を自動隠蔽可能なものとしてなる、請求項１ないし５何れか一記載のロールペーパー巻取り装置。
【請求項７】
ロールペーパーホルダーの少なくとも左右何れか一方の側部に一体化するか、一体化可能とするかの何れか一方とした固着部の適所に関節部を介し、主アーム基端を、同主アーム先端が前下方に向け展開可能、且つ、同主アーム先端が上方回りに回動し、後方に傾斜するよう折畳み自在となるよう連結された折畳み機構が設けられ、適所には、主アーム先端の前下方への展開角度姿勢を規制可能な展開姿勢規制部、および、主アーム先端の上方回り後方への立状収納角度姿勢を規制可能な収納姿勢規制部が設けられ、前下方に向けて展開姿勢とした場合の同主アームのロールペーパーホルダー操出し範囲に相当する中途適所に対し、対象ロールペーパーの幅寸法の１／３ないし１．５／１の巻き幅に設定した巻取り枠部を有する巻取り輪が、対象ロールペーパーに適宜間隔を隔てて平行対峙する軸心回りに回転自在とするよう軸着されてなるものとしたことを特徴とするロールペーパー巻取り装置。
【請求項８】
ロールペーパーホルダーの少なくとも左右何れか一方の側部に一体化するか、一体化可能とするかの何れか一方とした固着部の適所に関節部を介し、主アーム基端を、同主アーム先端が前下方に向け展開可能、且つ、同主アーム先端が上方回りに回動し、後方に傾斜するよう折畳み自在となるよう連結された折畳み機構が設けられ、適所には、主アーム先端の前下方への展開角度姿勢を規制可能な展開姿勢規制部、および、主アーム先端の上方回り後方への立状収納角度姿勢を規制可能な収納姿勢規制部が設けられ、前下方に向けて展開姿勢とした場合の同主アームのロールペーパーホルダー操出し範囲に相当する中途適所に対し、対象ロールペーパーの幅寸法の１／３ないし１．５／１の巻き幅に設定した巻取り枠部を有する巻取り輪が、対象ロールペーパーに適宜間隔を隔てて平行対峙する軸心回りに回転自在とするよう軸着されてなり、利用に際し、折畳み機構を該主アームが固着部の前下方に延伸するよう展開し、ロールペーパーホルダー装着対象ロールペーパーに対峙させた巻取り輪巻取り枠部に対象ロールペーパー操出し先端がわを巻き取り、該巻取り輪より対象ロールペーパー操出し先端巻き取り部分を抜き取って裁断するようにし、利用後に折畳み機構を当該固着部の上方に主アームが、僅かに後傾した立状姿勢に折り畳み収納可能なものとしたロールペーパー巻取り装置。
【請求項９】
ロールペーパーホルダーの少なくとも左右何れか一方の側部に一体化するか、一体化可能とするかの何れか一方とした固着部の適所に関節部を介し、主アーム基端を、同主アーム先端が前下方に向け展開可能、且つ、同主アーム先端が上方回りに回動し、後方に傾斜するよう折畳み自在となるよう連結された折畳み機構が設けられ、適所には、主アーム先端の前下方への展開角度姿勢を規制可能な展開姿勢規制部、および、主アーム先端の上方回り後方への立状収納角度姿勢を規制可能な収納姿勢規制部が設けられ、前下方に向けて展開姿勢とした場合の同主アームのロールペーパーホルダー操出し範囲に相当する中途適所に対し、対象ロールペーパーの幅寸法の１／３ないし１．５／１の巻き幅に設定した巻取り枠部を有する巻取り輪が、対象ロールペーパーに適宜間隔を隔てて平行対峙する軸心回りに回転自在とするよう軸着され、当該ロールペーパーホルダーの背面がわ適所より鉛直上方に自立・延伸した支持柱の上端に、主アームが立状収納角度姿勢の場合の巻取り輪巻取り枠部の少なくとも先端に対峙し、隠蔽状とするものとした保護カバー部が設けられてなるものとしたロールペーパー巻取り装置。
【請求項１０】
固着部が、ロールペーパーホルダーの左右双方の側部に一体化された天面開放鞘状の左右被着脱部を有し、主アーム基端には、左右被着脱部の何れか任意に選択された一方に対して、下向きに差し込まれて装着し、上向きに脱抜して離脱可能な形状とした着脱体の該着脱体上端が、水平軸を介して水平軸心回りに回動自在に軸着されてなる、請求項７ないし９何れか一記載のロールペーパー巻取り装置。
【請求項１１】
巻取り輪が、主アームの適所に対して、ロールペーパーホルダーに搭載した対象ロールペーパーに適宜間隔を隔てて平行する軸心回りに回転自在とするよう軸着された円板状の回転操作板と、該回転操作板の外周付近から、対象ロールペーパー幅寸法の１／３ないし１．５／１の長さ（巻き幅）、および、直径５ないし１０ｍｍ、望ましくは８ｍｍに設定した巻取り棒の複数本が、該回転操作板の外周縁に沿って均衡状配置に立設された巻取り棒群からなる巻取り枠部とからなるものとした、請求項７ないし１０何れか一記載のロールペーパー巻取り装置。
【請求項１２】
保護カバー部が、ロールペーパーホルダーの背壁左右端間中央から鉛直上方に立設された支持柱、該支柱の上端に対して、前後方向に向く軸心回りに左右回動自在とするよう基端が軸着された概略Ｌ字形反転腕、および、該支柱の上端寄りの反転腕基端軸着位置の直下に設けられ、該反転腕先端がわを上方回りの左右方向に回動操作した場合に、該反転腕を左右下がわから水平支持可能な横転規制部からなる左右反転機構を介し、該反転腕の先端がわに対し、主アームを立状収納角度姿勢とした場合の、巻取り輪巻取り枠部先端を包囲するよう対峙可能な器形状のものとされてなる、請求項７ないし１１何れか一記載のロールペーパー巻取り装置。
【請求項１３】
ホルダー本体左右腕部先端夫々に、円筒体外周面を摩擦抵抗面とし、歯車部を一体化した左右一対の摩擦ローラーを軸着し、各歯車部に噛合、掛止可能な制動爪機構を組み込んでなるペーパーカッターを設け、各摩擦ローラーと同高さ位置辺りであって背面（壁）部との間に垂下路を確保できるよう規制し、対象ロールペーパー下面がわ両端を載置可能で同外周面に当接、転動可能となるようにした転輪を対峙状に軸着した上、少なくとも左右何れか一方の腕部に、請求項７ないし１２何れか一記載のロールペーパー巻取り装置を組み込んでなるものとしたことを特徴とするロールペーパーホルダー。                      
【発明の詳細な説明】
【技術分野】
【０００１】
この発明は、紙や樹脂フィルム、シート、不織布、金属箔等を供給、切断する技術に関連するあらゆる分野をその技術分野とするものであって、特にロール紙やロールフィルム類を使用する際に用いるカッター付きホルダー、およびそれ用の補助装置類を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                      
【背景技術】
【０００２】
（着目点）
一般的なロールホルダーといえば、例えば、図２６に示すように、建築物室内壁面などに木ネジなどで固定可能なホルダー本体Ａに、対象ロールペーパーＰの筒状芯部分を水平状且つ回転自在に軸支可能な装着軸Ｃと、同装着軸Ｃに装着した対象ロールペーパーＰの上がわを開閉自在に覆うよう、該ホルダー本体Ａに基端Ｂ０が軸着した曲面板状体であって、その遊端縁Ｂ１に、引き出した対象ロールペーパーＰの中途部分を裁断可能なカッター部Ｂ２を形成してなる上蓋Ｂとを有するようにしたものであり、利用に際しては、該上蓋Ｂで対象ロールペーパーＰの外周面を抑え、同上蓋Ｂカッター部Ｂ２を境に、対象ロールペーパーＰの引き出した部分Ｐ０を引き上げるようにして裁断する構造のものが殆どであった。
【０００３】
しかしながら、こうした従前からの器具、手段によるものの場合には、裁断後に残される対象ロールペーパーＰの切断残部端Ｐ１が、当該カッター部Ｂ２を境として上蓋Ｂの下に隠れた状態となってしまい、新たに対象ロールペーパーＰ残部端Ｐ１を引き出そうとする場合には、必ずその上蓋Ｂのカッター部Ｂ２近傍となる遊端縁Ｂ１がわに手指を掛け、上方に持ち上げるようにして対象ロールペーパーＰの切断残部端Ｐ１を摘み出さなければならず、遊端縁Ｂ１は、通常、硬質で鋭利なカッター部Ｂ２に形成されていることもあり、うっかり強く触れてしまうと思わぬ傷を負ってしまう虞があるだけではなく、遊端縁Ｂ１がわを上方に持ち上げて対象ロールペーパーＰ残部端Ｐ１を見付け出そうとしても、紙質によっては同対象ロールペーパーＰ外周面に密着状となってしまっていて、なかなか切断残部端Ｐ１を見付け出すことができず、同対象ロールペーパーＰを何度も回転させて探さなければならなくなることも頻発し、やっと見付け出せたとしても、今度は、その対象ロールペーパーＰ残部端Ｐ１がなかなか摘めず、その煩わしさに辟易してしまうことも多かった。
【０００４】
（従来の技術）
こうした状況を反映し、その打開策となるような提案もこれまでに散見されない訳ではない。
例えば、下記の特許文献１（１）に提案されているものに代表されるように、モーター駆動するドライブローラーおよびサブローラーによって対象ロールペーパーの先端がわを繰り出し、該ドライブローラーおよびサブローラーの下方に配した、一対の巻取りシャフトを有する巻取りディスクをモーター駆動し、一対の巻取りシャフト間に巻き掛けるよう積層し、自動的に裁断可能としたものや、同特許文献１（２）に示されるもののように、モーターと減速機をユニット化したウォームギアボックスにより、搭載した対象ロールペーパーを回転駆動する繰出しドラム、および、該繰出しドラムから同軸上に延伸した回転輪に連動する伝達輪、従転輪などを介して、該繰出しドラムに適宜間隔を隔てて平行状に対峙するよう巻取りバーを設け、繰出しドラムが繰り出す対象ロールペーパー繰り出し端がわを２本の巻取りバーが自動的に巻き取るようにしてなるものなどが散見される。
【０００５】
しかし、特許文献１（１）および特許文献１（２）に示されているような、電動モーターを利用した巻取り機構を有するものは、乾電池などの電力供給源を必須とするから、電池切れの際には、電池交換を要するものとなってしまうという欠点を有し、さらに、対象ロールペーパーを繰り出すよう回転駆動するモーター、巻取り機構を駆動するモーター、対象ロールペーパーの繰り出し回転と、巻取り機構の回転とを１個のモーターで動かす場合には、両者を連動させるギヤボックスやチェーン機構、ベルト機構などの連動機構を要するものとなり、それらを制御する制御装置や操作パネルなど構造が複雑化し、ロールペーパーホルダーの大型化や、価格の高騰を招く虞があるという致命的な欠点があった。                    
【特許文献１】（１）特開平５−１１１４４２号公報    （２）実用新案登録第３１５２７１０号公報
【発明の概要】
【発明が解決しようとする課題】
【０００６】
（問題意識）
上述したとおり、従前までに提案のある各種巻取り装置類を組み込んだロールペーパーホルダーは、何れも、本体内に収納または装着した対象ロールペーパーの先端を繰り出し、一対の対峙する巻取りシャフト（バー）に巻き取り、裁断するまでの工程を全て自動的に行えるものとしているが、モーター駆動用の電源を必要とし、乾電池を使用するものの場合には、電池切れによって突然使用不能となってしまい、電池交換するまで全く使用できない状況を招いてしまう虞があり、さらに、各部駆動機構の組み込みなどによる複雑化や大型化を招き、手狭なトイレ室内などへの設置が困難となるなど、充分な設置スペースを確保しなければならない上、製造コストの高騰が避けられず、設置後の日常的な維持管理に経費が嵩むものとなってしまう虞があるなどの経済的課題を残しており、それら駆動源を一切必要とせず、利用者自らが、片手で簡単に対象ロールペーパーを繰り出し、所望量を巻き取り、裁断可能とすることができ、しかも小型、軽量なものとして狭いスペースにも簡単に設置することができる上、生産コストを大幅削減できるようにする新たなロールペーパーホルダー技術につき、更なる改善の必要性を痛感したものである。
【０００７】
（発明の目的）
そこで、この発明は、対象ロールペーパーの繰り出し、巻き取りにモーターなどの駆動源を一切必要とせず、片手で簡単に対象ロールペーパーを巻き取ることができ、しかもコンパクトに折畳み可能とし、構造の簡素化、小型・軽量化して耐久性を大幅に高めた新たなロールホルダー技術の開発はできないものかとの判断から、逸速くその開発、研究に着手し、長期に渡る試行錯誤と幾多の試作、実験とを繰り返してきた結果、今回、遂に新規な構造のロールペーパー巻取り装置、および、それを利用した新規な構造のロールペーパーホルダーを実現化することに成功したものであり、以下では、図面に示すこの発明を代表する実施例と共に、その構成を詳述することとする。                                              
【課題を解決するための手段】
【０００８】
（発明の構成）
図面に示すこの発明を代表する実施例からも明確に理解されるように、この発明のロールペーパー巻取り装置は基本的に次のような構成から成り立っている。
即ち、ロールペーパーホルダーの左右何れか一方の側部に一体化するか、一体化可能とするかの何れか一方とした固着部の前下方に関節部を介し、主アーム基端を、同主アーム先端が前下方に向け展開・折畳み自在となるよう連結すると共に、該固着部の関節部近傍に展開被固定部、同固着部の適所に収納被固定部を配し、当該主アームの関節部近傍に展開固定部、同主アームの適所に収納固定部を配して折畳み機構を設け、展開姿勢とした場合の同主アームのロールペーパーホルダー操出し範囲に相当する中途適所に対し、対象ロールペーパーの幅寸法の１／３ないし１．５／１の巻き幅に設定した巻取り枠部を有する巻取り輪を、対象ロールペーパーに適宜間隔を隔てて平行対峙する軸心回りに回転自在とするよう軸着してなるものとした構成を要旨とするロールペーパー巻取り装置である。
【０００９】
この基本的な構成からなるロールペーパー巻取り装置は、換言すれば、ロールペーパーホルダーの左右何れか一方の側部に一体化するか、一体化可能とするかの何れか一方とした固着部の前下方に関節部を介し、主アーム基端を、同主アーム先端が前下方に向け展開・折畳み自在となるよう連結すると共に、該固着部の関節部近傍に展開被固定部、同固着部の適所に収納被固定部を配し、該主アームの関節部近傍に展開固定部、同主アームの適所に収納固定部を配して折畳み機構を設け、展開姿勢とした場合の同主アームのロールペーパーホルダー操出し範囲に相当する中途適所に対し、対象ロールペーパーの幅寸法の１／３ないし１．５／１の巻き幅に設定した巻取り枠部を有する巻取り輪を、対象ロールペーパーに適宜間隔を隔てて平行対峙する軸心回りに回転自在とするよう軸着し、利用に際し、折畳み機構を該主アームが固着部の前下方に延伸するよう展開し、ロールペーパーホルダー装着対象ロールペーパーに対峙させた巻取り輪巻取り枠部に対象ロールペーパー操出し先端がわを巻き取り、該巻取り輪より対象ロールペーパー操出し先端巻き取り部分を抜き取って裁断するようにし、利用後に折畳み機構を当該固着部に主アームが重ねるよう折り畳み収納可能なものとした構成からなるロールペーパー巻取り装置と言える。
【００１０】
より具体的には、ロールペーパーホルダーの左右何れか一方の側部に一体化するか、一体化可能とするかの何れか一方とした固着部の前下方に関節部を介し、主アーム基端を、同主アーム先端が前下方に向け展開・折畳み自在となるよう連結すると共に、該固着部の関節部近傍に展開被固定部、同固着部の適所に収納被固定部を配し、該主アームの関節部近傍に展開固定部、同主アームの適所に収納固定部を配して折畳み機構を設け、展開姿勢とした場合の同主アームのロールペーパーホルダー操出し範囲に相当する中途適所に対し、対象ロールペーパーの幅寸法の１／３ないし１．５／１の巻き幅に設定した巻取り枠部を有する巻取り輪を、対象ロールペーパーに適宜間隔を隔てて平行対峙する軸心回りに回転自在とするよう軸着し、該主アームの先端がわに開閉機構を介し、主アーム折畳み姿勢の場合に、巻取り輪巻取り枠部の少なくとも先端を隠蔽状とし、主アーム展開姿勢の場合に、巻取り輪巻取り枠部を開放状とする保護カバー部を設けてなるものとした構成からなるロールペーパー巻取り装置となる。
【００１１】
（関連する発明１）
上記したロールペーパー巻取り装置に関連し、この発明には、さらに、改良を加えてなるロールペーパー巻取り装置も包含している。
この発明のさらに改良を加えたロールペーパーホルダーは、即ち、ロールペーパーホルダーの少なくとも左右何れか一方の側部に一体化するか、一体化可能とするかの何れか一方とした固着部の適所に関節部を介し、主アーム基端を、同主アーム先端が前下方に向け展開可能、且つ、同主アーム先端が上方回りに回動し、後方に傾斜するよう折畳み自在となるよう連結された折畳み機構が設けられ、適所には、主アーム先端の前下方への展開角度姿勢を規制可能な展開姿勢規制部、および、主アーム先端の上方回り後方への立状収納角度姿勢を規制可能な収納姿勢規制部が設けられ、前下方に向けて展開姿勢とした場合の同主アームのロールペーパーホルダー操出し範囲に相当する中途適所に対し、対象ロールペーパーの幅寸法の１／３ないし１．５／１の巻き幅に設定した巻取り枠部を有する巻取り輪が、対象ロールペーパーに適宜間隔を隔てて平行対峙する軸心回りに回転自在とするよう軸着されてなるものとした構成を要旨とするロールペーパー巻取り装置である。
【００１２】
換言して示すならば、ロールペーパーホルダーの少なくとも左右何れか一方の側部に一体化するか、一体化可能とするかの何れか一方とした固着部の適所に関節部を介し、主アーム基端を、同主アーム先端が前下方に向け展開可能、且つ、同主アーム先端が上方回りに回動し、後方に傾斜するよう折畳み自在となるよう連結された折畳み機構が設けられ、適所には、主アーム先端の前下方への展開角度姿勢を規制可能な展開姿勢規制部、および、主アーム先端の上方回り後方への立状収納角度姿勢を規制可能な収納姿勢規制部が設けられ、前下方に向けて展開姿勢とした場合の同主アームのロールペーパーホルダー操出し範囲に相当する中途適所に対し、対象ロールペーパーの幅寸法の１／３ないし１．５／１の巻き幅に設定した巻取り枠部を有する巻取り輪が、対象ロールペーパーに適宜間隔を隔てて平行対峙する軸心回りに回転自在とするよう軸着されてなり、利用に際し、折畳み機構を該主アームが固着部の前下方に延伸するよう展開し、ロールペーパーホルダー装着対象ロールペーパーに対峙させた巻取り輪巻取り枠部に対象ロールペーパー操出し先端がわを巻き取り、該巻取り輪より対象ロールペーパー操出し先端巻き取り部分を抜き取って裁断するようにし、利用後に折畳み機構を当該固着部の上方に主アームが、僅かに後傾した立状姿勢に折り畳み収納可能なものとした構成からなるロールペーパー巻取り装置となる。
【００１３】
より具体的に示すと、ロールペーパーホルダーの少なくとも左右何れか一方の側部に一体化するか、一体化可能とするかの何れか一方とした固着部の適所に関節部を介し、主アーム基端を、同主アーム先端が前下方に向け展開可能、且つ、同主アーム先端が上方回りに回動し、後方に傾斜するよう折畳み自在となるよう連結された折畳み機構が設けられ、適所には、主アーム先端の前下方への展開角度姿勢を規制可能な展開姿勢規制部、および、主アーム先端の上方回り後方への立状収納角度姿勢を規制可能な収納姿勢規制部が設けられ、前下方に向けて展開姿勢とした場合の同主アームのロールペーパーホルダー操出し範囲に相当する中途適所に対し、対象ロールペーパーの幅寸法の１／３ないし１．５／１の巻き幅に設定した巻取り枠部を有する巻取り輪が、対象ロールペーパーに適宜間隔を隔てて平行対峙する軸心回りに回転自在とするよう軸着され、当該ロールペーパーホルダーの背面がわ適所より鉛直上方に自立・延伸した支持柱の上端に、主アームが立状収納角度姿勢の場合の巻取り輪巻取り枠部の少なくとも先端に対峙し、隠蔽状とするものとした保護カバー部が設けられてなるものとした構成からなるロールペーパー巻取り装置となる。
【００１４】
（関連する発明２）
上記したロールペーパー巻取り装置に関連し、この発明には、それを利用したロールペーパーホルダーも包含している。
即ち、ホルダー本体左右腕部先端夫々に、円筒体外周面を摩擦抵抗面とし、歯車部を一体化した左右一対の摩擦ローラーを軸着し、各歯車部に噛合、掛止可能な制動爪機構を組み込んでなるペーパーカッターを設け、各摩擦ローラーと同高さ位置辺りであって背面部との間に垂下路を確保できよう規制し、対象ロールペーパー下面がわ両端を載置可能で同外周面に当接、転動可能となるようにした転輪を対峙状に軸着した上、左右何れか一方の腕部に、この発明の基本をなす前記何れか一記載のロールペーパー巻取り装置を組み込んでなるものとしたロールペーパーホルダーである。                                                  
【発明の効果】
【００１５】
以上のとおり、この発明のロールペーパー巻取り装置によれば、従前までのものとは違い、その固有の特徴ある構成から、対象ロールペーパーの繰り出し、巻き取りにモーターなどといった駆動源を一切必要とせず、電力配線を要する設置作業や、電池交換、モーター、その連動機構のメンテナンスなど煩わしい作業を不要とする上、負傷や疾病などの外、様々な事情によって片手しか使えない場合にも円滑に対象ロールペーパーを巻き取ることができるようになり、しかもコンパクトに折り畳み可能とし、構造の簡素化、小型・軽量化を達成し、耐久性を大幅に高めたものとすることができ、さらに、折畳み機構によって主アームを片手で簡単に折畳み姿勢とし、そのまま仮固定状に維持することができるから、巻取り輪をロールペーパーホルダーの左右何れか一方の側部にコンパクトに収納することができ、また、巻取り輪を利用する場合には、折畳み機構によって主アームを片手で簡単に展開し、その展開姿勢のまま仮固定状に維持可能であり、ロールペーパーホルダーから繰り出した対象ロールペーパーの先端部を、巻取り輪巻取り枠部に係合し、該巻取り輪を片手で回転操作して所望の長さ分を巻き付けた上、巻き取った分の対象ロールペーパー先端部を巻取り枠部から引き抜くよう外し、対象ロールペーパーの裁断目標位置を該ロールペーパーホルダーのペーパーカッターに押し付けるようにして簡便に裁断することができるという秀でた効果が得られるものである。
【００１６】
加えて、折畳み機構が、展開被固定部を磁石および磁性体何れか一方からなる展開被磁着部、展開固定部を磁石および磁性体何れか他方からなる展開磁着部、収納被固定部を磁石および磁性体何れか一方からなる収納被磁着部、収納固定部を磁石および磁性体何れか他方からなる収納磁着部としてなるものとすることにより、主アームの展開姿勢と折畳み姿勢との夫々に姿勢維持するための鈎や嵌合部などの仮固定機構の操作を不要とし、片手で主アームを展開・折畳み操作するだけで、夫々の姿勢に確実に仮固定することができ、しかも格段に円滑且つ速やかな操作性を実現化することができる。
【００１７】
巻取り輪が、巻取り枠部の基端に回転操作用の摩擦面および凹凸部の少なくとも何れか一方を設けた回転操作板を有するものとしたことにより、該回転操作板が対象ロールペーパーの巻付き範囲を規制し、巻取り輪の基端がわに巻き付いて回転不能となってしまうのを阻止するものとなる上、摩擦面や凹凸部が滑り止めとなり、巻取り輪の片手による巻き取り（回転）操作性を一段と高めたものとすることができる。
【００１８】
主アームの先端がわに、開閉機構を介して保護カバー部を設けたものは、主アームを折畳み姿勢とした場合に、保護カバー部が巻取り輪巻取り枠部の少なくとも先端を隠蔽状とし、巻取り枠部先端が、利用者や利用者の持ち物、その他の物品などに不用意に接触してしまうのを確実に防止し、より安全性を高めたものとすることができる上、主アームを展開姿勢とした場合に、巻取り輪巻取り枠部を開放状とするから、対象ロールペーパーの繰出し先端がわを片手で係合し、巻き取るという一連の操作を、保護カバー部が邪魔することなく、より円滑に行えるものとなり、さらに、保護カバー部が、主アーム先端がわに迂回枠および開閉機構であるヒンジ部を介して連結し、該主アーム展開姿勢の場合に、自重によって巻取り枠部を自動開放するものとなり、主アーム折畳み姿勢の場合に自重によって巻取り枠部を自動隠蔽可能となるようにしたものは、主アームの姿勢変化に応じて自動的に開閉するから、片手による操作性を格段に高めたものとすることができる。
【００１９】
（関連する発明１の効果）
ロールペーパーホルダーの少なくとも左右何れか一方の側部に設けられた固着部の適所に関節部を介し、主アーム基端を、同主アーム先端が前下方に向け展開可能、且つ、同主アーム先端が上方回りに回動し、後方に傾斜するよう折畳み自在となるよう連結された折畳み機構が設けられ、該折畳み機構によってロールペーパーホルダーの前下方に倒れた主アーム先端を、展開姿勢規制部が展開角度姿勢に規制支持し、また、該折畳み機構によってロールペーパーホルダーの上方回り後方に倒れようとする主アーム先端を、収納姿勢規制部が立状収納角度姿勢に規制支持するものとなっているから、ロールペーパーホルダーの対象ロールペーパー操出し範囲に相当する中途適所に巻取り輪が設けられた主アームの展開操作および収納操作を片手で簡単に行うことができると共に、主アームを展開姿勢とし、該巻取り輪の巻取り枠部に対象ロールペーパーの先端部を所望量巻き付ける操作も片手で容易に行うことができ、さらに、巻取り枠部に巻き取った対象ロールペーパーの巻取り部を裁断する場合に、該折畳み機構を境に、主アーム先端諸共巻取り輪を片手で上方に引き上げ、ロールペーパーホルダーカッター部に対象ロールペーパーの中途対応箇所を押し当てるように操作して簡便に裁断することができる上、該巻取り輪の巻取り枠部に巻き取られた対象ロールペーパーの巻取り部を、同巻取り輪の巻取り枠部から引き抜く作業も片手で簡単に行うことができるという秀でた効果を奏する。
【００２０】
そして使用後に、主アーム先端を片手で持ち上げるように操作し、関節部を境に立状収納角度姿勢へ移動すると、該巻取り輪の巻取り枠部の先端が、保護カバー部に対峙して隠蔽状となるから、利用者や利用者の持ち物などが、巻取り枠部先端に接触してしまうのを確実に防止するものとなる。
【００２１】
固着部が、ロールペーパーホルダーの左右双方の側部に一体化された天面開放鞘状の左右被着脱部を有し、主アーム基端には、左右被着脱部の何れか任意に選択された一方に対して、下向きに差し込まれて装着し、上向きに脱抜して離脱可能な形状とした着脱体の該着脱体上端が、水平軸からなる関節部を介して水平軸心回りに回動自在に軸着されてなるものは、利用者の利き手や、設置スペースなどの様々な利用条件に応じて、工具類などを利用せずとも、簡単且つ迅速に主アームおよび巻取り輪の配置を左右入れ替え可能とすることができるから、より一層利便性に優れたものとなり、さらに、巻取り輪が、主アームの適所に対して、ロールペーパーホルダーに搭載した対象ロールペーパーに適宜間隔を隔てて平行する軸心回りに回転自在とするよう軸着された円板状の回転操作板と、該回転操作板の外周付近から、対象ロールペーパー幅寸法の１／３ないし１．５／１の長さ（巻き幅）、および、直径５ないし１０ｍｍ、望ましくは８ｍｍに設定した巻取り棒の複数本が、該回転操作板の外周縁に沿って均衡状配置状に立設された巻取り棒群からなる巻取り枠部とを有するものとしたものは、巻取り棒に充分な太さと強度を有するから、対象ロールペーパーの巻き取り操作性と耐久性とを格段に高めたものとすることができる。
【００２２】
そして、保護カバー部が、ロールペーパーホルダーの背壁左右端間中央から鉛直上方に立設された支持柱、該支柱の上端に対して、前後方向に向く軸心回りに左右回動自在とするよう基端が軸着された概略Ｌ字形反転腕、および、該支柱の上端寄りの反転腕基端軸着位置の直下に設けられ、該反転腕先端がわを上方回りの左右方向に回動操作した場合に、該反転腕を左右下がわから水平支持可能な横転規制部からなる左右反転機構を介し、該反転腕のロールペーパーホルダー背壁よりも前方に延伸された先端がわに対し、主アームを立状収納角度姿勢とした場合の、巻取り輪巻取り枠部先端を包囲するよう対峙可能な器形状のものとして設けられてなるものは、設置スペースの条件に応じて保護カバー部を簡単に左右反転移動して利用することが可能である外、特に、固着部に左右被着脱部および着脱体を有する場合には、主アームおよび巻取り輪の配置を左右入れ替えた場合に、巻取り輪の向きに応じて、保護カバー部の左右配置及び左右の向きを容易に反転、変更することができるから、収納姿勢となった巻取り輪巻取り枠部先端を、左右何れかの配置に関わらず、より確実に保護可能なものとし、一層安全性に秀でたものとすることができる。
【００２３】
（関連する発明２の効果）
この発明のロールペーパー巻取り装置を組み込んでなるロールペーパーホルダーによれば、片手操作による対象ロールペーパーの繰り出し、および、裁断を円滑に行えるロールペーパーホルダーに、この発明のロールペーパー巻取り装置を組み込んでなる特徴ある構成により、対象ロールペーパーをロールペーパーホルダーにセットし、対象ロールペーパーの先端を繰り出し、ロールペーパー巻取り装置を展開し、その巻取り輪に対象ロールペーパーの繰り出し部分を所望長さ分巻き取り、巻取り輪から対象ロールペーパーの巻き取り部分を抜き取り、ロールペーパーホルダーのペーパーカッターに対象ロールペーパーの巻き取り部分基端がわの裁断目標箇所を押し当てて裁断し、ロールペーパー巻取り装置を折畳み収納する操作、および、使い切った対象ロールペーパーの筒状芯を取り除き、新しい対象ロールペーパーをセットする操作など、ロールペーパーホルダーに必要な全ての操作を片手でも全く支障無く簡単、迅速且つ円滑に行えるものとすることができるという大きな効果を奏する。                                                                              
【発明を実施するための最良の形態】
【００２４】
上記したとおりの構成からなるこの発明の実施に際し、その最良もしくは望ましい形態について説明を加えることにする。
固着部は、この発明のロールペーパー巻取り装置をロールペーパーホルダーの少なくとも左右何れか一方の側部に一体化するか、一体化可能とするかの何れか一方の機能を担うものであり、主アーム基端をロールペーパーホルダーの少なくとも左右何れか一方の側部に対し、同主アーム先端がロールペーパーホルダーの前下方に向け展開・折畳み自在となるよう連結可能なものとしなければならず、後述する実施例１にも示すとおり、その前下方に関節部を設け、該関節部を介して主アーム基端を、該主アーム先端が前下方に向け展開・折畳み自在となるよう連結したものとし、片手で該関節部を畳み、固着部に主アームを重ね合わせるよう折り畳んだ姿勢に仮固定可能とし、また、片手で該関節部を展開し主アームを前下方に延伸した姿勢に仮固定可能とする折畳み機構を設けたものとすることが可能であり、ロールペーパーホルダーの左右何れか一方側部の近傍に配置する建築物壁面や、家具などに固定可能なものとすることができる外、ロールペーパーホルダーの少なくとも左右何れか一方の側部に着脱可能なものとすることができ、後述する実施例２にも示しているように、ロールペーパーホルダーの左右双方の側部に一体化された天面開放鞘状の左右被着脱部を有し、主アーム基端には、左右被着脱部の何れか任意に選択された一方に対して、下向きに差し込まれて装着し、上向きに脱抜して離脱可能な形状とした着脱体の該着脱体上端が、水平軸を介して水平軸心回りに回動自在に軸着されてなるものとすることが可能である。
【００２５】
天面開放鞘状の左右被着脱部は、後述する実施例２にも示すような、矩形筒状のものとすることができる外、平面楕円形の断面形状や、３角形以上の多角形断面形状、および、３角形以上の異形断面形状などの少なくとも何れか１つからなる筒状や漏斗状、転倒錐状、または、大小、大中小などの直径の異なる筒状部分や漏斗状部分などが上下段差状壁を成すよう組み合わせられたものなどとすることが可能である外、平面Ｈ状断面形、平面Ｔ字状断面形などの鈎状断面形の上下方向レール状のものに置き換えることが可能であり、適所に着脱体の上下方向装着深さを規制可能な凸形状や嵌合形状などからなる装着深さ規制部を設けたものとすることができる。
【００２６】
展開姿勢規制部は、主アーム先端のロールペーパーホルダー前下方への展開角度姿勢を、対象ロールペーパー操出し先端がわの巻取り輪、巻取り枠部への巻き取り操作に適した角度姿勢に規制可能とする機能を担うものであり、ロールペーパーホルダーの適所に設けることができる外、主アームの近傍に配された建築物壁面や家具類などに設けられたものとすることが可能であって、後述する実施例２にも示すように、固着部である左右被着脱部適所に一体化したものなどとすることが可能であり、収納姿勢規制部は、主アーム先端のロールペーパーホルダー上方回り後方への立状収納角度姿勢を規制可能とする機能を担っており、ロールペーパーホルダーの適所や、主アームの近傍に配された建築物壁面または家具類などに設けられたものとすることが可能である外、固着部である左右被着脱部適所に一体化されたものとすることができ、後述する実施例２にも示しているが、ロールペーパーホルダーの背壁から立設された、保護カバー部支持用の支持柱が、収納操作を受けて上方回り後方へ回動してくる主アームの適所、および、主アーム先端に設けられ、収納操作を受けて上方回り後方へ回動してくる巻取り輪の適所の少なくとも何れか一方に干渉するようにして規制可能とするようにしたものなどとすることが可能である。
【００２７】
折畳み機構は、固着部に対して装着された主アームを、ロールペーパーホルダーの左右何れか一側方、および、ロールペーパーホルダーの上方の少なくとも何れか一方に折り畳み状に収納可能、および、ロールペーパーホルダーの前下方に展開可能とする機能を担うものであり、固着部に対し、主アームの一部または全体を重ね合わせるよう、折り畳み可能なものとすることができ、固着部の前下方に、主アーム基端に関節部を介し、同主アーム先端を前下方に向け展開・折畳み自在に連結すると共に、該固着部の関節部近傍に展開被固定部、同固着部の適所に収納被固定部を配し、該主アームの関節部近傍に展開固定部、同主アームの適所に収納固定部を配したものとすることが可能であり、該関節部を角度調節可能とするよう、節度感を持たせる段階的または無段階的な角度調節機構を組み込んだものとすることができる外、固着部の該関節部近傍に、主アームを延伸姿勢に仮固定可能とする嵌着部、被嵌着部の何れか一方を設け、これに対応する主アームの該関節部近傍に嵌着部、被嵌着部の何れか他方を設け、互いに着脱自在なものとし、さらに、固着部の適所に主アームを折畳み姿勢に仮固定可能とする嵌着部、被嵌着部の何れか一方を設け、これに対応する主アームの適所に嵌着部、被嵌着部の何れか他方を設け、互いに着脱自在としたものとすることが可能であり、より耐久性を高めようとすれば、後述する実施例１にも示すように、展開被固定部を磁石および磁性体何れか一方からなる展開被磁着部、収納被固定部を磁石および磁性体何れか一方からなる収納被磁着部、展開固定部を磁石および磁性体何れか他方からなる展開磁着部、収納固定部を磁石および磁性体何れか他方からなる収納磁着部とし、磁性体による吸着力を利用した折畳み機構の一部を設けたものとするようにするが良く、また、後述する実施例２にも示しているが、固着部の適所に関節部を介し、主アーム基端を、同主アーム先端が前下方に向け展開可能、且つ、同主アーム先端が上方回りに回動し、後方に傾斜するよう折畳み自在となるよう連結された折畳み機構が設けられてなるものとした上、適所には、主アーム先端の前下方への展開角度姿勢を規制可能な展開姿勢規制部、および、主アーム先端の上方回り後方への立状収納角度姿勢を規制可能な収納姿勢規制部が設けられたものとすることができる。
【００２８】
折畳み機構の関節部は、主アームの一部または全体を固着部に対して折畳み可能とするよう連結する機能を担っていて、展開姿勢において固着部に対し、主アームを前下方に向け延伸するよう展開した姿勢に支持可能なものとすると共に、対象ロールペーパーを巻き取り操作する巻取り輪を充分な強度をもって支持可能なものとし、折畳み姿勢において固着部に対し、主アームを適宜収納状に折畳み可能なものとしなければならず、リンク機構やヒンジ構造のものとすることができる外、多関節機構、ヒンジ構造、蛇腹構造など可撓性を有する構造のものとすることが可能である。
【００２９】
主アームは、その折畳み姿勢においてロールペーパーホルダーの少なくとも左右何れか一方の側部にある固着部に対し適宜収納状となるよう折畳み可能となり、展開姿勢において巻取り輪を対象ロールペーパーに適宜間隔を隔てて平行対峙する軸心回りに回転自在とするよう軸支可能なものとする機能を担い、対象ロールペーパー操出し先端がわを巻き取る高頻度の操作に、長期に渡って耐えるに充分な強度をもって巻取り輪を回転自在に支持できるものとしなければならず、先端がわから片手による折畳み・展開操作用の操作入力部を舌片状に延伸したものとすることができる外、後述する実施例１にも示すように、先端がわに迂回枠および開閉機構であるヒンジ部を介して保護カバー部を連結し、該主アーム展開姿勢の場合に、保護カバー部自体の自重により巻取り枠部を自動開放し、主アーム折畳み姿勢の場合に保護カバー部自体の自重により巻取り枠部を自動隠蔽可能なものとすることができる。
【００３０】
巻取り輪は、ロールペーパーホルダーに装着した対象ロールペーパーの操出し先端がわを、片手で簡便に巻取り可能とする機能を担っており、対象ロールペーパーの幅寸法の１／３ないし１．５／１の巻き幅に設定した巻取り枠部を有するものとして、主アームの展開姿勢の場合にロールペーパーホルダー操出し範囲に相当する中途適所に、対象ロールペーパーに適宜間隔を隔てて平行対峙する軸心回りに回転自在とするよう軸着してなるものとしなければならず、巻取り枠部が円筒形、または台形断面形とした円錐形の尖る先端がわを切除した台形回転形のものとし、その外周壁に、周回り方向に点在するよう配し、先端舌片状の挟着用部品を複数設けたものとすることができる外、後述する実施例１にも示すように、円板形の回転操作板の外周縁付近から均衡配置状複数本の巻取り棒を立設し、それら巻取り棒に、対象ロールペーパーの操出し先端がわを片手で巻き付け、簡単に螺旋積層状に重なるよう操作可能なものとするのが望ましく、巻取り枠部の基端に回転操作用の摩擦面および凹凸部の少なくとも何れか一方を有する回転操作板を設けたものとするのが良く、対象ロールペーパーの操出し先端がわの巻き取り操作性および耐久強度を、より高めようとする場合には、後述する実施例２にも示しているように、各巻取り棒の直径を５ないし１０ｍｍ、望ましくは８ｍｍに設定してなるものとするのが望ましい。
【００３１】
保護カバー部は、主アームを展開姿勢とした場合に、巻取り輪の巻取り枠部を露出状に開放し、主アームを折畳み姿勢とした場合に、巻取り輪の巻取り枠部の少なくとも先端がわを隠蔽状とし、他物との直接的な接触を防止可能なものとする機能を担うもので、平板状や器状などの形状のものとすべきであり、巻取り枠部に対峙する面とは反対がわとなる外側面の外周縁など、利用者の手や他物などが接触する可能性の高い部分が、面取り形状とされたものや、発泡ウレタンや天然ゴム製などの緩衝材製の環状体などを外装したものとするのが望ましく、硬質網や硬質柵状枠などからなるものとすることが可能であり、利用者が片手で開閉操作可能なものとすることができる外、後述する実施例１にも示しているように、主アーム先端がわに迂回枠および開閉機構であるヒンジ部を介して連結し、該主アーム展開姿勢の場合に、自重によって巻取り枠部を自動開放し、主アーム折畳み姿勢の場合に自重によって巻取り枠部を自動隠蔽可能なものとすることができる。
【００３２】
実施例１にも示すように、保護カバー部の開閉機構は、主アーム先端がわに、巻取り輪の巻取り枠部の少なくとも先端がわが隠蔽可能となるよう、保護カバー部を開閉動作可能とする機能を担い、主アーム先端がわに設けた迂回枠の先端に、軟質ベルト、可撓バネ、軟質蛇腹部品、紐、鎖、その他の吊下げ部品、または、それらの組み合わせ部品などからなるものとして自重によって垂れ下がり、主アーム展開姿勢の場合、巻取り枠部を自動開放し、主アーム折畳み姿勢の場合、巻取り枠部を自動隠蔽可能なものとすることが可能であり、後述する実施例にも示すように、主アーム先端がわに迂回枠および開閉機構であるヒンジ部を介して連結し、該主アーム展開姿勢の場合に、自重によって巻取り枠部を自動開放し、主アーム折畳み姿勢の場合に自重によって巻取り枠部を自動隠蔽可能なものとすることができる。
【００３３】
また、後述する実施例２にも示すように、ロールペーパーホルダーの背壁左右端間中央から鉛直上方に立設された支持柱、該支柱の上端に対して、前後方向に向く軸心回りに左右回動自在とするよう基端が軸着された概略Ｌ字形反転腕、および、該支柱の上端寄りの反転腕基端軸着位置の直下に設けられ、該反転腕先端がわを上方回りの左右方向に回動操作した場合に、該反転腕を左右下がわから水平支持可能な横転規制部からなる左右反転機構を介し、該反転腕の先端がわに対し、主アームを立状収納角度姿勢とした場合の、巻取り輪巻取り枠部先端を包囲するよう対峙可能な器形状のものとされてなるものとすることができる。
【００３４】
ロールペーパーホルダーは、その左右何れか一方の側部に、この発明のロールペーパー巻取り装置固着部を一体化しているか、一体化可能なものかの何れか一方となり、この発明のロールペーパー巻取り装置を片手で利用可能とする機能を担うものであり、対象ロールペーパーを回転自在に搭載可能とすると共に、繰り出し部分を裁断できる機能を有するものとしなければならず、既存の様々なロールペーパーホルダーとすることが可能であるが、片手だけによる対象ロールペーパーの搭載、繰り出し、裁断、および、交換操作性を考慮すると、後述する各実施例にも示すとおり、ホルダフレーム左右腕部先端夫々に、円筒体外周面を摩擦抵抗面とし、歯車部を一体化した左右一対の摩擦ローラーを軸着し、各歯車部に噛合、掛止可能な制動爪機構を組み込んでなるペーパーカッターを設け、各摩擦ローラーと同高さ位置辺りであって背面部との間に垂下路を確保できよう規制し、対象ロールペーパー下面がわ両端を載置可能で同外周面に当接、転動可能となるようにした転輪を対峙状に軸着した上、左右何れか一方の腕部に、この発明のロールペーパー巻取り装置を組み込んでなるもののように片手による操作性を高めたものとするのが望ましい。
【００３５】
ロールペーパーホルダーのホルダー本体は、この発明のロールペーパーホルダーを建築物壁面などに固着可能とし、また、既存のロールペーパーホルダーの上蓋や天面上などの適所に固着、または着脱自在に固定可能とする機能を担い、ホルダー本体左右腕部の左右何れか一方の側部に、この発明のロールペーパーホルダーを一体化するか、一体化可能とするかの何れか一方としたものとしなければならず、耐久強度や設置スペースを考慮すると、できるだけ小型・軽量且つ簡素な構成のものとするのが望ましく、後述する各実施例にも示してあるように、背面がわ適所に建築物壁面などに固着可能とするフランジ板を設けたものとしたり、底面がわ適所に対し、既存ロールペーパーホルダーの上蓋や天面上などに固着してある磁性被着枠へ着脱自在に吸着・固定可能な嵌着磁性体を一体化したものとしたりすることが可能である。
以下では、図面に示すこの発明を代表する実施例と共に、その構造について詳述する。                  
【図面の簡単な説明】
【００３６】
図面は、この発明のロールペーパー巻取り装置、および、それを利用したロールペーパーホルダーの技術的思想を具現化した代表的な幾つかの実施例を示すものであり、図１ないし図１２が実施例１を、図１３ないし図２５が実施例２を、図２６が従来例を示すものである。
【図１】この発明のロールペーパー巻取り装置を利用したロールペーパーホルダーを示す斜視図である。
【図２】この発明のロールペーパー巻取り装置を組み込み可能なロールペーパーホルダーの一例を示す斜視図である。
【図３】展開姿勢のロールペーパー巻取り装置を示す斜視図である。
【図４】巻取り操作中のロールペーパー巻取り装置を示す斜視図である。
【図５】折畳み姿勢のロールペーパー巻取り装置を示す正面図である。
【図６】折畳み姿勢のロールペーパー巻取り装置を示す側面図である。
【図７】折畳み姿勢のロールペーパー巻取り装置を示す平面図である。
【図８】折畳み姿勢のロールペーパー巻取り装置を示す下面図である。
【図９】展開姿勢のロールペーパー巻取り装置を示す正面図である。
【図１０】展開姿勢のロールペーパー巻取り装置を示す側面図である。
【図１１】既存のロールペーパーホルダーに搭載するこの発明のロールペーパーホルダーを示す斜視図である。
【図１２】巻取り輪の回転操作板の他の例を示す正面図である。
【図１３】収納・展開状態のロールペーパー巻取り装置を示す斜視図である。
【図１４】ロールペーパー巻取り装置を示す斜視図である。
【図１５】反転操作される着脱体を示す斜視図である。
【図１６】左右配置替えされる主アームを示す斜視図である。
【図１７】左配置展開姿勢の主アームを示す正面図である。
【図１８】左配置収納姿勢の主アームを示す正面図である。
【図１９】右配置展開姿勢の主アームを示す正面図である。
【図２０】右配置収納姿勢の主アームを示す正面図である。
【図２１】左配置展開姿勢の主アームを示す平面図である。
【図２２】左配置展開姿勢の主アームを示す下面図である。
【図２３】使用開始するロールペーパー巻取り装置を示す側面図である。
【図２４】使用中のロールペーパー巻取り装置を示す側面図である。
【図２５】既存のロールペーパーホルダーに搭載するこの発明のロールペーパーホルダーを示す斜視図である。
【図２６】従来型のロールペーパーホルダーを示す斜視図である。
【実施例１】
【００３７】
図１、図３ないし図１２に示す事例は、ロールペーパーホルダー８の側部に一体化した固着部２に関節部３０を介し、主アーム４を前下方に展開・折畳み自在に連結すると共に、該固着部２の関節部３０近傍に展開被固定部３１、同固着部２適所に収納被固定部３３を配し、該主アーム４の関節部３０近傍に展開固定部３２、同主アーム４適所に収納固定部３４を配して折畳み機構３を設け、該主アーム４の展開姿勢の場合にロールペーパーホルダー８操出し範囲に相当する中途適所に、巻取り枠部５１を有する巻取り輪５を主アーム４展開姿勢の場合に、対象ロールペーパーＰに適宜間隔を隔てて平行対峙する軸心回りに回転自在とするよう軸着してなるものとした、この発明のロールペーパー巻取り装置における代表的な第一の実施例を示すものである。
【００３８】
それら各図からも明確に把握できるとおり、この発明のロールペーパー巻取り装置１を一体化するロールペーパーホルダー８は、例えば、ホルダフレーム８０左右各腕部８１，８１先端夫々に円筒体外周面を摩擦抵抗面８３，８３とし、歯車部８４，８４を一体化した左右一対の摩擦ローラー８２，８２を軸着し、各歯車部８４，８４に噛合、掛止可能な制動爪機構８６，８６を組み込んでなるペーパーカッター８５を設け、各摩擦ローラー８２，８２と同高さ位置辺りであって背面部との間に垂下路８７を確保でき、且つ同摩擦ローラー８２，８２との間隔が対象ロールペーパーＰ芯管径よりもやや小さくなるよう規制し、対象ロールペーパーＰ後下面がわを載置可能で同外周面に当接、転動可能となるようにした円柱形の転輪８８を水平に軸着し、片手で繰り出し、裁断可能としてなるものとすることができる。
【００３９】
当該ロールペーパー巻取り装置１は、ロールペーパーホルダー８の一方側部に矩形棒状の固着部２を、その前端が前下方に、後端が後上方に向けた傾斜姿勢に一体化したものとし、該固着部２の前下方端にヒンジ機構からなる関節部３０を介し、矩形棒状の当該主アーム４の基端を、同主アーム４先端が前下方に向け展開、後上方に向け折畳み自在となるよう連結し、該固着部２の関節部３０近傍であって、当該主アーム４先端が前下方に向け展開した場合、同主アーム４基端に対峙する位置へ、展開被固定部３１としての展開被磁着部３１となる磁性金属製舌片３１を適宜姿勢に支持するよう固着し、当該主アーム４先端が前下方に向け展開した場合、当該固着部２の関節部３０近傍の磁性金属製舌片３１に対峙する同主アーム４基部の側壁に、展開固定部３２としての展開磁着部３２である展開永久磁石板３２を固着し、また、該固着部２の後上方端近傍の、当該主アーム４先端が後上方に向け折畳んだ場合、対峙する側壁に、収納被固定部３３としての収納被磁着部３３となる磁性金属製積層板３３を被覆するよう固着し、当該主アーム４先端が後上方に向け折畳んだ場合に、該磁性金属製積層板３３に重合わせ状に対峙する、同主アーム４先端の側壁に収納固定部３４としての収納磁着部３４となる収納永久磁石板３４を固着したものとし、折畳み機構３は、前記関節部３０、磁性金属製舌片３１、展開永久磁石板３２、性金属製積層板３３および収納永久磁石板３４からなるものとしてある。
【００４０】
当該主アーム４は、その中途適所に、同主アーム４が展開姿勢の場合にロールペーパーホルダー８の対象ロールペーパーＰ操出し範囲に相当する配置となり、対象ロールペーパーＰ幅寸法の１／３ないし１．５／１の長さ（巻き幅）に設定した、例えば、８本の巻取り枠部５１としての巻取り棒群５１を円板状の回転操作板５０の外周付近から均衡配置状となるよう立設した巻取り輪５を、主アーム展開姿勢の場合、対象ロールペーパーに適宜間隔を隔てて平行対峙する軸心回りに回転自在とするよう軸着し、該巻取り輪５の回転操作板５０の外周縁には、図１２に示すような、花弁状の凹凸摩擦部分を設けたものとすることができる外、ローレット加工部分を設けたり、ゴム製や軟質合成樹脂製のハンドル用被膜部を設けたりするなどして、回転操作性を高めたものとすることができる。
【００４１】
当該主アーム４は、その先端がわに、同主アームが折畳み姿勢の場合に、巻取り輪５巻取り棒群５１先端がわの鉛直上方まで延伸状となる迂回枠４０を有し、該迂回枠４０先端に、開閉機構６であるヒンジ部６を介して吊下棒部７０の基端を連結し、同吊下棒部７０の先端には、巻取り棒群５１先端がわを包囲可能な器形状とした保護カバー部７を一体化して、同主アーム４が折畳み姿勢の場合に、吊下棒部７０および保護カバー部７が、その自重によってヒンジ部６から垂れ下がり状となり、保護カバー部７が、巻取り棒群５１先端がわを自動的に隠蔽可能なものとなり、しかも同主アーム４が展開姿勢の場合に、該保護カバー部７および吊下棒部７０が、その自重により、ヒンジ部６から垂れ下がり状となり、巻取り棒群５１先端がわから離脱し、自動開放可能なものとしてある。
【００４２】
図１および図９などに示すように、当該ロールペーパーホルダー８の上蓋部Ｌは、後端から前端にかけて側断面略円弧形状の曲面板からなり、その前端付近に開閉操作方の取っ手部Ｌ０を設け、同後端をロールペーパー巻取り装置１固着部２の後方上端と、ホルダフレーム８０のロールペーパー巻取り装置１を設けた一方側部とは左右反対がわの他方側部となる腕部８１後端より立設した支持柱部Ｌ１の上端との間に、水平軸心回りに回動自在に軸着し、前端を上下開閉自在なものとした上、該支持柱部Ｌ１から斜め前上方に枝部Ｌ２を分岐延伸し、閉鎖姿勢において該枝部Ｌ２上端に対応する上蓋部Ｌの他方側縁から係止片Ｌ３を一体に突出し、上蓋部Ｌが、枝部Ｌ２上端に係止片Ｌ３を係合した閉鎖姿勢のままであっても該上蓋部Ｌ前端と摩擦ローラー８２,８２との上下間に、対象ロールペーパーＰを容易に通過可能な前面開口寸法を確保したものとしてある。
【００４３】
当該ロールペーパーホルダー８は、図２に示すもののように、ホルダフレーム８０背面に、壁面取付け部９としてのネジ固定用の取付け孔９０,９０，……を複数穿設したものとし、転輪８８を左右一対、対峙状に水平軸心回りに回転自在に軸着した球形の転輪８８,８８とすることができ、さらに、図６中の二点鎖線、図７、図８および図１１に示すように、ホルダフレーム８０背面から、壁面取付け部９としてのネジ固定用の垂直フランジ板９１を延伸、突設したものとし、さらに、ホルダフレーム８０底壁を設け、該底壁下面中央に矩形永久磁石からなる左右一対の嵌着磁性体９２，９２を固着し、当該ロールペーパーホルダー８装着対象となる家具や、既存のロールペーパーホルダーＡ天板Ｂ上面などに、該左右一対の嵌着磁性体９２，９２が嵌合および吸着可能な磁性金属製の矩形枠状磁性被着枠９３を両面粘着テープ、接着剤、面ファスナーなどを用いて着脱不能または着脱可能に固着し、該磁性被着枠９３に対し、嵌着磁性体９２，９２を吸着するよう嵌合し、対象物に対して安定的に仮固定可能なものとすることができる。
【００４４】
（実施例１の作用・効果）
以上のとおりの構成からなるこの発明のロールペーパー巻取り装置１を利用したロールペーパーホルダー８は、図６中の二点鎖線、図７、図８および図１１に示すように、例えば、既存のロールペーパーホルダー天板上面に固着した壁面取付け部９磁性被着枠９３に、嵌着磁性体９２,９２を嵌合、吸着し、所望箇所に着脱自在に設置することが可能であり、また、壁面取付け部９取付け孔９０（図２）や垂直フランジ板９１（図９）を用いて建築物壁面や家具などの適所に固着することが可能である。
【００４５】
図１に示すように、ロールペーパー巻取り装置１が、主アーム４を、折畳み機構３関節部３０を畳んで固着部２に重ね合わせるよう折畳み操作した場合に、固着部２収納被固定部（収納被磁着部）３３である磁性金属製積層板３３に、収納固定部（収納磁着部）３４である収納永久磁石板３４が吸着し、主アーム４の折畳み姿勢を自動的に維持するものとなり、巻取り輪５巻取り棒群（巻取り枠部）５１の先端がわには、迂回枠４０先端にヒンジ部（開閉機構）６および吊下棒部７０を介して自重によって垂れ下がり状となる保護カバー部７が、対峙するよう包囲するものとなる。
【００４６】
図１および図４に二点鎖線で示すように、ロールペーパーホルダー８摩擦ローラー８２,８２および転輪８８上に対象ロールペーパーＰを搭載し、同摩擦ローラー８２,８２および転輪８８間の垂下路８７より下方に対象ロールペーパーＰ先端部Ｐ１を露出するよう垂れ下げるだけで対象ロールペーパーＰのセットを完了することが可能であり、図４および図９に示すように、枝部Ｌ２に係止片Ｌ３が係合し、上蓋Ｌ前端（遊端）がわを対象ロールペーパーＰの通過に必要な開き角度に支持しているから、片手で容易に対象ロールペーパーＰをセットすることができると共に、使用後に残った対象ロールペーパーＰの筒状芯部も片手で簡単に取り出し、速やかに新しい対象ロールペーパーＰに交換することができ、より大きな直径の対象ロールペーパーＰを搭載する場合には、装填する対象ロールペーパーＰの外周面を上蓋Ｌ遊端下部に押し当て、上蓋Ｌ遊端を上昇させるよう押し込むことにより、片手で簡単に装着することができるという利便性が得られる。
【００４７】
図３、図４、図９および図１０に示すように、ロールペーパー巻取り装置１を使用する場合には、主アーム４の先端を片手で、側方外がわ前方に展開するよう操作し、磁性金属製積層板３３に吸着していた収納永久磁石板３４を引き剥がすと、関節部３０回りに回動した主アーム４が、その自重によって固着部２の延長線上に配置し、磁性金属製舌片３１に展開永久磁石板３２が自動的に吸着して仮固定状となり、さらに、巻取り輪５巻取り棒群５１が、自動的に摩擦ローラー８２,８２、転輪８８および対象ロールペーパーＰの回転軸心に平行状に対峙する配置関係となり、さらに、ヒンジ部（開閉機構）６より先端がわの吊下棒部７０および保護カバー部７が、その自重によって巻取り棒群５１先端がわから離脱し、自動的に垂れ下がり開放姿勢となる。
【００４８】
図３および図４に示すように、巻取り輪５巻取り棒群５１に、対象ロールペーパーＰ先端部Ｐ１を片手で差し込んで係合させた上、図４中の実線矢印に示すように、巻取り輪５を回転させ所望の長さを巻き取った後、片手で対象ロールペーパーＰ巻取り部Ｐ２を巻取り棒群５１から抜き取り、同対象ロールペーパーＰの切断目標箇所をペーパーカッター８５に押し当てるよう前上方に向けて引き上げるよう操作し、制動爪機構８６,８６を歯車部８４,８４に噛合させ、摩擦ローラー８２,８２を自動的に停止し、対象ロールペーパーＰの回転を強制的に制動し、同対象ロールペーパーＰの切断目標箇所を片手操作であっても正確且つ簡便に裁断可能になるという効果を奏する。
【００４９】
使用を終えたロールペーパー巻取り装置１は、固着部２の延長線上に配置している主アーム４先端を、片手で磁性金属製舌片３１から展開永久磁石板３２を引き剥がすよう側方外がわ後上方に回動操作し、同主アーム４を固着部２に重ね合わせるよう移動すると、磁性金属製積層板３３に収納永久磁石板３４が吸着し、自動的に折畳み姿勢を維持するものとなり、図１、図５ないし図８に示すように、迂回枠４０先端にヒンジ部（開閉機構）６および吊下棒部７０を介して吊り下がる保護カバー部７が、その自重によって自動的に垂れ下がり状となり、巻取り輪５の外がわを向く巻取り棒群５１先端がわを隠蔽するよう包囲するものとなる。
【００５０】
図１、図５ないし図８に示すように、折畳み姿勢のロールペーパー巻取り装置１を再び使用する場合には、図３、図４、図９および図１０に示すように、主アーム４の先端を片手で展開操作し、磁性金属製積層板３３から収納永久磁石板３４を引き剥がすだけで、主アーム４の自重と、磁性金属製積層板３３および収納永久磁石板３４の吸着によって自動的に展開姿勢に仮固定されるものとなり、保護カバー部７がその自重によって、ヒンジ部（開閉機構）６を中心に巻取り棒群５１先端から離脱し、自動的に垂れ下がり退避、開放するものとなる。                                                                                
【実施例２】
【００５１】
図１３ないし図２５に示す事例は、ロールペーパーホルダー８の少なくとも左右何れか一方の側部８１に一体化するか、一体化可能とするかの何れか一方とした固着部２の適所に関節部３０を介し、主アーム４基端を、同主アーム４先端が前下方に向け展開可能、且つ、同主アーム４先端が上方回りに回動し、後方に傾斜するよう折畳み自在となるよう連結された折畳み機構３が設けられ、適所には、主アーム４先端の前下方への展開角度姿勢を規制可能な展開姿勢規制部２２、および、主アーム４先端の上方回り後方への立状収納角度姿勢を規制可能な収納姿勢規制部７１が設けられ、前下方に向けて展開姿勢とした場合の同主アーム４のロールペーパーホルダー８操出し範囲に相当する中途適所４に対し、対象ロールペーパーＰの幅寸法の１／３ないし１．５／１の巻き幅に設定した巻取り枠部５１を有する巻取り輪５が、対象ロールペーパーＰに適宜間隔を隔てて平行対峙する軸心回りに回転自在とするよう軸着されてなるものとした、この発明のロールペーパー巻取り装置における代表的な第二の実施例を示すものである。
【００５２】
図１３ないし図２４に示すように、この実施例２のロールペーパー巻取り装置１を一体化する対象ロールペーパーホルダー８は、例えば、ホルダフレーム８０左右各腕部８１，８１先端夫々に円筒体外周面を摩擦抵抗面８３，８３とし、歯車部８４，８４を一体化した左右一対の摩擦ローラー８２，８２を軸着し、各歯車部８４，８４に噛合、掛止可能な制動爪機構８６、８６を組み込んでなるペーパーカッター８５を設け、各摩擦ローラー８２，８２と同高さ位置辺りであって背面部との間に垂下路８７を確保でき、且つ同摩擦ローラー８２，８２との間隔が対象ロールペーパーＰ芯管径よりもやや小さくなるよう規制し、対象ロールペーパーＰ後下面がわを載置可能で同外周面に当接、転動可能となるようにした円柱形の転輪８８を水平に軸着し、片手で繰り出し、裁断可能としてなるものとすることができる。
【００５３】
図１３ないし図２５の各図に示すように、この発明のロールペーパー巻取り装置１は、対象となるロールペーパーホルダー８の左右腕部８１，８１の先端寄りとなる左右外側部の夫々に対して、縦姿勢の四角管からなり、四角形天面から底面まで貫通した開放鞘状の左右被着脱部２０，２０が一体化し、左右被着脱部２０，２０の上端前壁には、左がわのものは左外がわへ、また、右がわのものは右外側へ、夫々水平方向外側に向け、垂直舌片状の展開姿勢規制部２２，２２が突設した、左右固着部２，２が設けられている。
【００５４】
主アーム４は、所定長棒状のものであって、その基端には、前記左右被着脱部２０，２０の何れか任意に選択された一方に対して、下向きに差し込まれて装着し、上向きに脱抜して離脱可能な、四角柱形状とした着脱体４１の該着脱体４１上端が、水平軸３５からなる関節部３０を介して水平軸心回りに回動自在としてなる折畳み機構３にて軸着された上、前記左右被着脱部２０，２０の直下に対応する対象ロールペーパーホルダー８左右腕部８１，８１の左右外側壁には、左右被着脱部２０，２０の任意に選択した何れか一方に対して上方から下向きに差し込むよう装着した場合の主アーム４基端の着脱体４１下端に係合し、所定の深さ位置に差し込み深さを規制可能な板型ブロック状の左右装着深さ規制部２１，２１が固着されている。
【００５５】
主アーム４の先端がわに設けられた巻取り輪５は、主アーム４先端寄りの適所に対して、ロールペーパーホルダー８に搭載した場合の対象ロールペーパーＰに適宜間隔を隔てて平行する軸心回りに回転自在とするよう軸着された円板状の回転操作板５０と、該回転操作板５０の外周付近から、対象ロールペーパーＰ幅寸法の１／３ないし１．５／１の長さ（巻き幅）、および、直径８ｍｍに設定した巻取り棒５１ａの複数本が、該回転操作板５０の外周縁に沿って均衡状配置に立設された巻取り棒群５１からなる巻取り枠部５１とからなるものである。
【００５６】
さらに、当該ロールペーパーホルダー８の背外壁左右端間中央からは、鉛直上方に向けて延伸するよう支持柱７１が立設され、該支柱７１の上端に対して、前後方向に向く軸心回りに左右回動自在とするよう、概略Ｌ字形反転腕７３の基端が軸着され、該支柱７１の上端寄りの反転腕７３基端軸着位置の直下には、該反転腕７３先端がわを上方回りの左右方向に回動操作した場合に、該反転腕７３を左右下がわから水平支持可能な横転規制部７４からなる左右反転機構７２が設けられ、該反転腕７３の先端がわには、主アーム４を立状収納角度姿勢とした場合の、巻取り輪５巻取り枠部５１先端を包囲するよう対峙可能な器形状のものとされてなる保護カバー部７の外壁中央が結合されたものとしてある。
【００５７】
当該ロールペーパーホルダー８の背外壁左右端間中央に立設された該支持柱７１の上端がわは、主アーム４が展開角度姿勢から、着脱体４１上端との水平軸３５（３，３０）を軸心に、前上方回り後方へ回動操作された場合に、主アーム４先端がわに設けられた巻取り輪５巻取り枠部５１先端付近の外周部分に係合し、立状収納角度姿勢に規制可能とする収納姿勢規制部７１の機能を担うものとなり、立状収納角度姿勢に規制された主アーム４および巻取り輪５は、その重心を着脱体４１上端より後方に規制された状態に支持され、収納姿勢を維持するものとなる。
【００５８】
（実施例２の作用・効果）
以上のとおりの構成からなるこの発明のロールペーパー巻取り装置１は、図１３ないし図２２に示すように、ロールペーパーホルダー８のホルダフレーム８０左右各腕部８１，８１に設けられた固着部２左右被着脱部２０，２０の何れに装着した場合にも、円滑に利用可能なものであり、例えば、図１３、図１４、図１７、図１８および図２１ないし図２４に示すように、当該ロールペーパー巻取り装置１をロールペーパーホルダー８の左がわに装着した場合には、右利きの利用者に利用し易くなり、また、図１９および図２０に示されるように当該ロールペーパー巻取り装置１をロールペーパーホルダー８の右がわに装着した場合には、左利きの利用者に利用し易いものとなる。
【００５９】
図１４、図１７、図２３および図２４に示すように、ロールペーパーホルダー８摩擦ローラー８２,８２および転輪８８上に対象ロールペーパーＰを搭載し、同摩擦ローラー８２,８２および転輪８８間の垂下路８７より下方に対象ロールペーパーＰ先端部Ｐ１を露出するよう垂れ下げるだけで対象ロールペーパーＰのセットを完了することが可能であり、使用後に残った対象ロールペーパーＰの筒状芯部も片手で簡単に取り出し、速やかに新しい対象ロールペーパーＰに交換することができる。
【００６０】
図２３および図２４の破線矢印に示すように、垂下路８７より下方に垂れ下げた、対象ロールペーパーＰ先端部Ｐ１を巻取り輪５は巻取り棒群５１（巻取り枠部５１）に片手で係止させ、巻取り輪５を回転させると、各巻取り棒５１ａ，５１ａ，……が８ｍｍの太さに設定されているから、充分な強度をもって効率的に巻き取ることが可能となり、さらに、主アーム４基端の水平軸３５（３，３０）を中心に巻取り輪５諸共、上方に向けて引き上げるように操作するだけで、対象ロールペーパーＰ中途部がペーパーカッター８５に押し当てられて速やかに裁断され、巻取り棒群５１の先端がわから対象ロールペーパーＰ巻取り部Ｐ２を容易に抜き取り、そのまま利用することが可能となる。
【００６１】
図１３ないし図１９に示すように、巻取り輪５の左右配置を変える場合には、ロールペーパーホルダー８ホルダフレーム８０の、例えば左がわの腕部８１の固着部２被着脱部２０に装着されていた主アーム４基端の着脱体４１を、該被着脱部２０から抜き取り、下向きとなっている該着脱体４１を主アーム４基端に対して水平軸３５（３，３０）を中心に、１８０度反転させて上向きにした上、巻取り棒群５１の先端が右向きとなっている該巻取り輪５を、主アーム４および着脱体４１諸共左右反転させ、同巻取り棒群５１の先端を左向きにするよう姿勢変更し、この左右反転によって下向きとなった該着脱体４１を、当該ロールペーパーホルダー８右がわの腕部８１の固着部２被着脱部２０に、上方から下向きに、装着深さ規制部２１に達するまで差し込み装着するように操作することとなる。
【００６２】
巻取り輪５の左右配置を変えた場合には、例えば、反転腕７３が右がわに横倒の姿勢となり、器状開口が左向きとなっていた保護カバー部７を、反転腕７３諸共、右がわから上方回りに左がわに、横転規制部７４に当接するまで横転するよう左右反転機構７２を操作し、器状開口を右向きとすることによって、主アーム４を立状収納角度姿勢とした場合に、該巻取り輪５の巻取り棒群５１の先端を、保護カバー部７が覆うように姿勢変更することが可能である。
【００６３】
さらに、巻取り輪５を収納する場合には、水平軸３５（３，３０）を中心に、片手で主アーム４先端を、上方から後方に向けて回動させて立て掛けるよう操作すると、巻取り輪５巻取り棒群５１の外周部分が、支持柱（収納姿勢規制部）７１に当接され、後傾状の収納姿勢に支持され、主アーム４および巻取り輪５巻取り棒群５１の自重によって、主アーム４先端に掛かる重心が、該水平軸３５（３，３０）よりも後ろがわに配されることとなって、特別な固定構造などを要さずに、後傾状の収納姿勢が維持されることとなる。
【００６４】
（結  び）
叙述の如く、この発明のロールペーパー巻取り装置、およびそれを利用したロールペーパーホルダーは、その新規な構成によって所期の目的を遍く達成可能とするものであり、しかも製造も容易で、従前からのペーパーホルダー技術に比較して、対象ロールペーパーの装着から、操出しおよび裁断などの使用および交換に至る全ての操作を片手のみで迅速且つ円滑に行えるものとし、健常者は勿論のこと老若男女を問わず誰でも簡単に利用することができる上、怪我や疾病などによって片手しか使うことのできない利用者であっても、全く支障無く円滑に利用可能となり、しかも充分な強度を確保し、軽量且つ低廉化して遥かに経済的なものとすることができるから、各種ロールペーパーホルダー類を供給する住宅設備業界やインテリア施工業界はもとより、生活用品業界、宿泊施設業界および医療用品業界などにおいても高く評価され、広範に渡って利用、普及していくものになると予想される。                                                                                          
【符号の説明】
【００６５】
１      ロールペーパー巻取り装置
２      固着部
２０    同  被着脱部
２１    同  装着深さ規制部
２２    同  展開姿勢規制部
３      折畳み機構
３０    同  関節部
３１    同  磁性金属製舌片（展開被固定部、展開被磁着部）
３２    同  展開永久磁石板（展開固定部、展開磁着部）
３３    同  磁性金属製積層板（収納被固定部、収納被磁着部）
３４    同  収納永久磁石板（収納固定部、収納磁着部）
３５    同  水平軸
４      主アーム
４０    同  迂回枠
４１    同  着脱体
５      巻取り輪
５０    同  回転操作板
５１    同  巻取り棒群（巻取り枠部）
５１ａ  同  巻取り棒
６      ヒンジ部（開閉機構）
７      保護カバー部
７０    同  吊下棒部
７１    同  支持柱（収納姿勢規制部）
７２    同  左右反転機構
７３    同  反転腕
７４    同  横転規制部
８      ロールペーパーホルダー
８０    同  ホルダフレーム
８１    同  左右各腕部
８２    同  摩擦ローラー
８３    同  摩擦抵抗面
８４    同  歯車部
８５    同  ペーパーカッター
８６    同  制動爪機構
８７    同  垂下路
８８    同  転輪
Ｌ      上蓋
Ｌ０    同  取っ手部
Ｌ１    同  支持柱部
Ｌ２    同  枝部
Ｌ３    同  係止片
９      壁面取付け部
９０    同  取付け孔
９１    同  垂直フランジ板
９２    同  嵌着磁性体
９３    同  磁性被着枠
Ｐ      対象ロールペーパー
Ｐ１    同  切断残部端（先端部）
Ｐ２    同  巻取り部
Ａ      従来型ホルダー本体
Ｂ      上蓋
Ｂ０    同  基端
Ｂ１    同  遊端縁
Ｂ２    同  カッター部
Ｃ      装着軸
【図１】
0006506733.tif 000002
【図２】
0006506733.tif 000003
【図３】
0006506733.tif 000004
【図４】
0006506733.tif 000005
【図５】
0006506733.tif 000006
【図６】
0006506733.tif 000007
【図７】
0006506733.tif 000008
【図８】
0006506733.tif 000009
【図９】
0006506733.tif 000010
【図１０】
0006506733.tif 000011
【図１１】
0006506733.tif 000012
【図１２】
0006506733.tif 000013
【図１３】
0006506733.tif 000014
【図１４】
0006506733.tif 000015
【図１５】
0006506733.tif 000016
【図１６】
0006506733.tif 000017
【図１７】
0006506733.tif 000018
【図１８】
0006506733.tif 000019
【図１９】
0006506733.tif 000020
【図２０】
0006506733.tif 000021
【図２１】
0006506733.tif 000022
【図２２】
0006506733.tif 000023
【図２３】
0006506733.tif 000024
【図２４】
0006506733.tif 000025
【図２５】
0006506733.tif 000026
【図２６】
0006506733.tif 000027